(57)【特許請求の範囲】
【請求項１】
ブラシ材の基部をチャンネルに保持させて成るチャンネルブラシを密着螺旋巻きして単位コイルブラシを形成し、該単位コイルブラシをロールに複数外挿して成るロールブラシにおいて、上記単位コイルブラシには上記チャンネルにおける底板と左右側板の連設部を下方へ向け褶曲し褶曲片が互いに重合しつつチャンネル長手方向に並行に延在するスタンドを形成すると共に、上記各単位コイルブラシにおける隣接するスタンド間を溶接止めし、更に上記隣接する各単位コイルブラシのチャンネルブラシ巻端におけるチャンネル端面相互を突き合わせ係合すると共に、端部単位コイルブラシの外側面と対向する制動フランジを備え、該制動フランジに上記端部単位コイルブラシを形成するチャンネルブラシの巻端のチャンネル端面と係合して上記コイルブラシの制動を図る係止部を設けたことを特徴とするロールブラシ。
【請求項２】
ブラシ材の基部をチャンネルに保持させて成るチャンネルブラシを密着螺旋巻きして単位コイルブラシを形成し、該単位コイルブラシをロールに複数外挿して成るロールブラシにおいて、上記単位コイルブラシには上記チャンネルにおける底板と左右側板の連設部を下方へ向け褶曲し褶曲片が互いに重合しつつチャンネル長手方向に並行に延在するスタンドを形成すると共に、上記各単位コイルブラシにおける隣接するスタンド間を溶接止めし、更に上記隣接する各単位コイルブラシのチャンネルブラシ巻端におけるチャンネル端面相互を突き合わせ係合すると共に、端部単位コイルブラシの外側面と対向する制動フランジを備え、該制動フランジに上記端部単位コイルブラシを形成するチャンネルブラシの巻端のチャンネル端面と係合して上記コイルブラシの制動を図る係止部を設け、更に該制動フランジをロール周面に沿い軸線方向へ移動可に外挿し、該制動フランジの外側に固定フランジを設け、該固定フランジに上記制動フランジの外側面を軸線方向に締め付ける複数の締め付けボルトを配設したことを特徴とするロールブラシ。
【発明の詳細な説明】
【０００１】
【発明の属する技術分野】
本発明はロールにチャンネルブラシを螺旋巻きして形成したコイルブラシを外挿して成るロールブラシに関する。
【０００２】
【従来の技術】
従来この種ロールブラシは、螺旋巻きしたチャンネルブラシの巻端のチャンネルをロールに溶接止めして一体回転構造を形成していた。
【０００３】
よって上記チャンネルブラシの交換に際しては、ブラシ使用会社（例えば製鉄会社）から滅損したチャンネルブラシを巻装したままのロールブラシをブラシ製造会社へ持ち帰り、上記溶接を除去してチャンネルブラシを取り外し、更に新たなチャンネルブラシを螺旋巻きして溶接せねばならず、チャンネルブラシの巻替作業とロールブラシの搬出搬入に多大な労力と手間を要していた。
【０００４】
加えて溶接の除去に際して、ロールを損傷する問題を有していた。
【０００５】
【課題を解決するための手段】
本発明は上記問題を解決するロールブラシを提供するものである。このロールブラシはチャンネルブラシを密着螺旋巻きして単位コイルブラシを形成し、該単位コイルブラシの複数をロールに外挿する構成を採りながら、端部単位コイルブラシの外側面と対向する制動フランジを備え、該制動フランジに上記端部単位コイルブラシを形成するチャンネルブラシの巻端のチャンネル端面を係合して上記コイルブラシの制動を図る。
【０００６】
又上記制動フランジはロール又はロールの軸部にボルト等により取り外し可に固定して設けるか、他例としてロール周面に沿い軸線方向に移動可に外挿し、該制動フランジの外側に固定フランジを設け、該固定フランジに上記制動フランジの外側面を軸線方向に締め付ける複数の締め付けボルトを配設して、制動フランジによりコイルブラシ外側面を押圧しつつ前記係合を確保する。
【０００７】
更に上記各単位コイルブラシは隣接するチャンネルブラシ巻端におけるチャンネル端面相互を突き合わせ係合して上記各単位コイルブラシの制動を図る。
【０００８】
【発明の実施の形態】
以下図１乃至図８に基づいて本発明の実施の形態について説明する。
【０００９】
図１に示すように、チャンネル１の底板１ａと左右側板１ｂ，１ｃにて形成された溝２内に二つ折りブラシ材３の折曲基部を、該折曲基部内に介挿したＶ字形芯材４と共に植え込み、上記左右側板１ｂ，１ｃの一方の側板の上端縁と他方の側板の上端縁から突設した左右爪片５，６を上記溝２内へ夫々曲げ込みつつ、上記Ｖ字形芯材４内へ曲げ入れて該芯材４の脱出を阻止しつつ、上記ブラシ材３の折曲基部の左右外側面を上記左右側板１ｂ、１ｃにより加圧狭持してチャンネルブラシ７を形成する。
【００１０】
又は二つ折りしたブラシ材を芯線と共にチャンネル１内へ植え込んでチャンネルブラシ７を形成する。これらチャンネルブラシ７は何れも既知のものである。
【００１１】
又上記チャンネル１における底板１ａと左右側板１ｂ，１ｃの連設部を下方へ向け褶曲し、褶曲片が互いに重合しつつチャンネル１長手方向に並行に延在するスタンド８を形成する。
【００１２】
そして図２に示すように、上記チャンネルブラシ７を密着螺旋巻きしてコイルブラシ１１を形成する。該コイルブラシ１１は上記密着巻きしたチャンネルブラシ７の隣接するスタンド８間を溶接止めし、上記チャンネルブラシ７の密着螺旋巻きを保持する。１２はこの溶接部を示す。
【００１３】
図３乃至図７に示すように、上記コイルブラシ１１をロール１３に外挿してロールブラシ１５を形成する。
【００１４】
上記ロールブラシ１５において、上記コイルブラシ１１の両端外側面と対向する制動フランジ１４を設け、該制動フランジ１４の軸線方向の内側面には上記コイルブラシ１１を形成するチャンネルブラシ１の左右巻端のチャンネル端面１１ａ，１１ｂと係合して、上記コイルブラシ１１の制動を図る係止部１４ａを設ける。
【００１５】
上記ロール１３には図８に示すように、複数の単位コイルブラシ１１′を上記ロール１３に外挿し、各単位コイルブラシ１１′は隣接するチャンネルブラシ７巻端におけるチャンネル端面１１ａ，１１ｂ相互を付き合わせ係合しつつ、端部単位コイルブラシ１１′の外側面に配した制動フランジ１４の係止部１４ａにチャンネル端面１１ａ，１１ｂを係合する。
【００１６】
上記制動フランジ１４は図３又は図４に示すように金属製のリングの一部を切断し、該リング切断面相互を軸線方向にずらし、該遊離端相互を切断部において溶接して内側面に段部を形成し、該段部を上記係止部１４ａとする。１９はこの溶接部を示す。
【００１７】
又は上記制動フランジ１４の他例として図６乃至図７に示すように、該制動フランジ１４を無欠リングで形成し、該無欠リングの軸線方向の内側面、即ち上記コイルブラシ１１と対向する側面に突部を形成し、該突部を上記段部に代わる係止部１４ａとする。
【００１８】
そして図３又は図５に示すように、上記制動フランジ１４の一方又は双方を上記ロール１３に、該ロール１３の軸線方向に移動可に外挿し、該制動フランジ１４の軸線方向の外側に固定フランジ１６を配し、該固定フランジ１６に上記制動フランジ１４の軸線方向の外側面を軸線方向に締め付ける複数の締め付けボルト１７を配設する。即ち固定フランジ１６の外側面と内側面に貫通する複数の雌ねじ孔９ａを同側面の周囲に間隔的に配し、該雌ねじ孔９ａの外側面側から締め付けボルト１７を挿入螺合し、螺進しつつボルトの軸先を制動フランジ１４の外側面に押し当て締め付けを図る。よって該制動フランジ１４と当接する上記コイルブラシ１１巻端のチャンネル１の外側面を締め付ける。
【００１９】
又図３又は図５に示すように、上記固定フランジ１６をその中央穴を以てロール両端に延設せる軸部２０に外挿し、その内側面を軸部２０より大径のロール１３外側面に当接する。そして上記固定フランジ１６にはその外側面と内側面に貫通する取り付け孔９ｂを同側面の周囲に間隔的に配設し、該取り付け孔９ｂの軸線方向の外側面から取り付けボルト１８を挿通し、上記ロール１３の軸線方向の外側面に設けた雌ねじ孔（取り付け孔）９ｃに螺合し、よって固定フランジ１６をロール１３の外側面に当接し複数の取り付けボルト１８によって取り付け固定する。
【００２０】
これにより前述した制動フランジ１４とコイルブラシ１１の係合が保持され、上記コイルブラシ１１の制動を図り、上記ロール１３と一体に回転せしめる。従って上記係止部１４ａとチャンネル端面１１ａ又は／及び１１ｂとの係合によってコイルブラシ１１の単独回転を阻止する。
【００２１】
上記固定フランジ１６の取り付け固定の他例として図４又は図６に示すように、固定フランジ１６を上記と同様に軸部２０に挿入してロール１３の外側面に当接し、他方固定フランジ１６の外周面から内周面に貫通する雌ねじ孔（取り付け孔）９ｂを同周面に間隔的に配設し、該雌ねじ孔（取り付け孔）９ｂの外周面側から上記取り付けボルト１８を挿通螺合しつつ、ボルトの軸先を軸部２０の外周面に設けた溝２０ａ内に入れ溝内底に当接し締め付け、上記固定フランジ１６をロール１３に取り付け固定する。勿論取り付けボルト１８は軸部２０に設けた雌ねじ孔に螺合し締め付けることができる。
【００２２】
上記何れの例においても取り付けボルト１８を緩めることによって固定フランジ１６及び制動フランジ１４を取り外し、コイルブラシ１１を抜去できる。
【００２３】
一つの実施形態として上記の通りロール１３の両端に配した制動フランジ１４の双方をその中央穴を以てロール１３に対し軸線方向へ移動可に挿通し、上記固定フランジ１６に設けたボルト１７によって締め付ける図４Ａに示す構造を採る他、即ちコイルブラシ１１両端のチャンネル外側面を可動制動フランジ１４によって締め付ける構成を採る他、制動フランジ１４の一方については図４Ａに示す可動締め付け構造を採り、他方については図４Ｂに示すように、上記制動フランジ１４と固定フランジ１６とを溶接等により一体構造にし、該固定フランジ１６を前記の複数の取り付けボルト１８を用いて上記ロール１３又は軸部２０に取り付け固定し、よって制動フランジ１４をロール１３又は軸部２０に固定する。
【００２４】
即ちロール１３一端の制動フランジ１４はロール１３に対し定位置に固定し、ロール他端の制動フランジ１４はロール１３に対し軸線方向に移動可にし、ボルト１７によってコイルブラシ１１の一端側からチャンネル外側面を締め付け、固定制動フランジ１４に対し押し付ける構造を採る。
【００２５】
上記何れの例においても固定フランジ１６を設ける場合について説明したが、本発明の実施形態例として図７に示すように、上記一方又は他方の固定フランジ１６を設けずに、上記一方又は双方の制動フランジ１４を取り付けボルトによって上記ロール１３或いは軸部２０に取り付けてロール１３に対し固定し、チャンネル端面１１ａ又は／及び１１ｂと係止部１４ａと係合せしめることができる。換言すると、上記固定フランジ１６に突部を設け、上記係合を行う構成と同様である。又この場合固定フランジ１６が制動フランジ１４となる。
【００２６】
又本発明の図４Ａ等に示す制動フランジ１４と固定フランジ１６をロール１３の一端側にのみ設け、ロール１３の他端側には固定フランジ１６のみを設けて、この固定フランジ１６にコイルブラシ１１を押しつけ、一体回転を図る構成を採ることができる。
【００２７】
又本発明の図４Ｂに示す、固定フランジ１６に制動フランジ１４を一体にしてコイルブラシ１１の制動を図る構造をロール１３両端において実施しても良い。
【００２８】
【発明の効果】
本発明によれば、ロールに外挿したコイルブラシを制動フランジによって的確に制動でき、又固定フランジと締め付けボルトを併用することによってコイルブラシの締め付けを行いながら上記係合状態を確保できる。
【００２９】
又滅損したチャンネルブラシの交換に際して、ブラシ使用会社に新たなチャンネルブラシから成るコイルブラシを納品するだけで、ブラシ使用会社側において同交換作業が行え、高重量のロールブラシをブラシ使用会社から搬出し、加えて搬入する手間と労力を省くことができる。
【００３０】
加えて従来のようにロールに溶接されたチャンネルブラシを除去する手間と労力をも省け、ロールの損傷を防止でき、総じて上記チャンネルブラシの交換が容易に行える。
【図面の簡単な説明】
【図１】ロールブラシにおけるチャンネルブラシの一例を断面して示す斜視図。
【図２】上記チャンネルブラシによって形成したコイルブラシを示す断面図。
【図３】ロールに対し制動フランジと固定フランジを分解して示す斜視図。
【図４】Ａは図３に示す制動フランジをロールに対し移動可に設け固定フランジに設けたボルトにより締め付け可に組み立てた状態を示す断面図、Ｂは制動フランジと固定フランジをロールに対し固定し組み立てた状態を示す断面図。
【図５】ロールブラシの他例を示し、制動フランジをロールに対し移動可に設け固定フランジに設けたボルトにより締め付け可に組み立てた状態を示す断面図。
【図６】ロールブラシの更に他例を示し、制動フランジをロールに対し移動可に設け固定フランジに設けたボルトにより締め付け可に組み立てた状態を示す断面図。
【図７】固定フランジを設けないロールブラシの更に他例を示す側面図。
【図８】ロールブラシにおけるコイルブラシを複数の単位コイルブラシによって形成した例を示す側面図。
【符号の説明】
１              チャンネル
１ａ            底板
１ｂ，１ｃ      左右側板
２              溝
３              ブラシ材
４              Ｖ字形芯材
５，６          左右爪片
７              チャンネルブラシ
８              スタンド
９ａ，９ｃ      雌ねじ孔
９ｂ            取り付け孔
１１            コイルブラシ
１１′          単位コイルブラシ
１１ａ，１１ｂ  チャンネル端面
１２            溶接部
１３            ロール
１４            制動フランジ
１４ａ          係止部
１５            ロールブラシ
１６            固定フランジ
１７            締め付けボルト
１８            取り付けボルト
１９            溶接部
２０            軸部
２０ａ          溝
【図１】
0003625178.tif 000002
【図２】
0003625178.tif 000003
【図３】
0003625178.tif 000004
【図４】
0003625178.tif 000005
【図５】
0003625178.tif 000006
【図６】
0003625178.tif 000007
【図７】
0003625178.tif 000008
【図８】
0003625178.tif 000009